(57)【要約】【課題】電源供給装置を電源供給システムに投入する前に実施する診断の信頼性を向上する。【解決手段】  電源供給システムは、複数の電源供給装置Ｐ１、Ｐ２、Ｐ３と、常用コンポーネントＣ１、Ｃ２及び予備コンポーネントＹ１を含む負荷に対して電流供給装置からの電源を供給可能な電源ラインＬ１、Ｌ２とを有する。電源供給システム内に電源供給装置Ｐ３を組み込む前に、電源ラインから切り離した状態で単独に電源供給装置Ｐ３を診断する第１の診断ステップと、電源供給装置Ｐ３から、模擬負荷Ｙ１、Ｔ１に電源を供給した状態で、電源供給装置Ｐ３を診断する第２の診断ステップとを実行する。【選択図】図２
2010187503.tif 000002
【特許請求の範囲】
【請求項１】
少なくとも出力端子が並列接続又は切り離し可能な複数の電源供給装置と、該複数の電源供給装置の少なくとも一部が発生する電源を負荷に対して供給する電源ラインとを備える電源供給システムの健全性を診断する方法であって、
電源供給装置のうち少なくとも１台の被診断電源供給装置をオンとし、前記電源ラインから切り離した状態で前記被診断電源供給装置を単独に診断する第１の診断ステップと、
前記被診断電源供給装置から、前記負荷を模擬する模擬負荷に対して電源を供給した状態で、前記被診断電源供給装置を診断する第２の診断ステップと、を有することを特徴とする電源供給システムの診断方法。
【請求項２】
前記電源ラインが、運用中の常用電源ライン及び待機中の予備電源ラインを含み、前記予備電源ラインに前記模擬負荷を接続する、請求項１に記載の電源供給システムの診断方法。
【請求項３】
前記負荷が、運用中の常用コンポーネント及び待機中の予備コンポーネントを含み、該待機中の予備コンポーネントをオンとし、前記予備電源ラインに接続して前記模擬負荷とする、請求項２に記載の電源供給システムの診断方法。
【請求項４】
前記第１及び第２の診断ステップで正常と判定された被診断電源供給装置を、前記常用電源ラインに接続するステップを更に有する、請求項２又は３に記載の電源供給システムの診断方法。
【請求項５】
前記第２の診断ステップが、前記被診断電源供給装置から前記模擬負荷に供給される電流を計測するステップを有する、請求項１〜４の何れか一に記載の電源供給システムの診断方法。
【請求項６】
前記複数の電源供給装置の診断を、１台ずつ順次に且つ間欠的に実施する、請求項１〜５の何れか一に記載の電源供給システムの診断方法。
【請求項７】
少なくとも出力端子が並列接続又は切り離し可能な複数の電源供給装置と、
前記電源供給装置の少なくとも一部が発生する電源を負荷に対して供給する電源ラインと、
前記電源供給装置の診断を行うコンピュータとを備え、
前記コンピュータが、
電源供給装置のうち少なくとも１台の被診断電源供給装置をオンとし、前記電源ラインから切り離した状態で前記被診断電源供給装置を単独に診断する第１の診断処理と、
前記被診断電源供給装置から、前記負荷を模擬する模擬負荷に対して電源を供給した状態で、前記被診断電源供給装置を診断する第２の診断処理と、を実行することを特徴とする電源供給システム。
【請求項８】
前記電源ラインが、運用中の常用電源ライン及び待機中の予備電源ラインを含み、前記予備電源ラインに前記模擬負荷を接続する、請求項７に記載の電源供給システム。
【請求項９】
前記負荷が、運用中の常用コンポーネント及び待機中の予備コンポーネントを含み、該待機中の予備コンポーネントをオンとし、前記予備電源ラインに接続して前記模擬負荷とする、請求項８に記載の電源供給システム。
【請求項１０】
少なくとも出力端子が並列接続又は切り離し可能な複数の電源供給装置と、該複数の電源供給装置の少なくとも一部が発生する電源を負荷に対して供給する電源ラインとを備える電源供給システムの健全性を診断するコンピュータのためのプログラムであって、
電源供給装置のうち少なくとも１台の被診断電源供給装置をオンとし、前記電源ラインから切り離した状態で前記被診断電源供給装置を単独に診断する第１の診断処理と、
前記被診断電源供給装置から、前記負荷を模擬する模擬負荷に対して電源を供給した状態で、前記被診断電源供給装置を診断する第２の診断処理と、を規定することを特徴とするプログラム。
【発明の詳細な説明】
【技術分野】
【０００１】
本発明は、電源供給システム、その診断方法及びプログラムに関し、更に詳しくは、複数の電源供給装置を有する冗長構成の電源供給システム、電源供給装置を電源供給システム内に組み込む前に電源供給装置の健全性を診断する診断方法、及び、プログラムに関する。
【背景技術】
【０００２】
近年、ＳＥＲＶＥＲ／ＢＬＡＤＥ装置などのコンピュータ装置では、電力消費量の増大が問題となっており、きめ細かな電源運用が行われている。一方、ＤＣ電源装置などでは、原価低減を目的として、安価な部品を使う傾向があり、コンピュータ装置ほどには高い信頼性は実現していない。しかし、省電力を図ったＳＥＲＶＥＲ／ＢＬＡＤＥ装置であっても、例えば冗長構成を採用するコンピュータシステムでは、運用を停止するような障害／原因を発生させることは、大きな損害を招くおそれがある。このため、安全で信頼性が高い電源運用を行うことは必須である。この目的で冗長構成の電源供給装置を含む電源供給システムが使用される。
【０００３】
冗長構成のコンピュータ（コンポーネント）を含むコンピュータシステムでは、稼働中のコンポーネントの台数は、運転中に変化し、また、コンポーネントの増設も頻繁に行われる。運転中のコンピュータシステムに、新たなコンポーネントを組み込む際には、不足する電源容量を補充するために、その電源供給システム内に新たな電源コンバータが組み込まれる。電源供給システム内に電源コンバータを組み込む際には、組み込む電源コンバータのＤＣ出力を停止した状態で、電源供給システム内に組み込む。この際には、組み込む電源コンバータが健全であることが前提である。しかし、実際には、不具合を有する電源コンバータや、準備不足のためＤＣ電源を供給できない状態の電源コンバータであっても、電源供給システム内に組み込まれる可能性がある。
【０００４】
組み込まれた電源コンバータが、電源供給機能を実際には有していない場合には、増設されたコンポーネントや、予備コンポーネントを新たに稼働させると、電源容量が不足してシステムダウンが発生するおそれがある。また電源コンバータの健全性チェックは、電源供給システム内に組み込んでから行うので、組み込んだ電源コンバータが故障していた場合には、その電源コンバータの故障に引きずられてシステムダウンが発生するおそれがある。システムダウンまでには至らなくとも、故障した電源コンバータを組み込むと、必要なコンポーネントが使用できず、業務遅延が発生しかねない。
【０００５】
特許文献１は、ＤＣ／ＤＣコンバータをシステム内に組み込む際に、その組込みに先立ってＤＣ／ＤＣコンバータの健全性を自己診断させる直流バックアップ電源装置を記載している。この直流バックアップ電源装置では、故障したＤＣ／ＤＣコンバータをシステム内に組み込んだ際に発生するシステムダウンのおそれを回避する。
【先行技術文献】
【特許文献】
【０００６】
【特許文献１】特開２００３−３０９９３４号公報
【発明の概要】
【発明が解決しようとする課題】
【０００７】
ところで、特許文献１に記載の直流バックアップ電源装置では、ＤＣ出力の健全性の有無を自己診断した後に、ＤＣ／ＤＣコンバータをシステム内に組み込んでいる。しかし、その自己診断は、実負荷をかけた状態で行っていないので、ＤＣ／ＤＣコンバータの潜在的な故障が発見できずに診断が終了する場合がある。このような場合には、故障を有するＤＣ／ＤＣコンバータが、正常なＤＣ／ＤＣコンバータであるとして、システム内に組み込まれてしまう。従って、ＤＣ／ＤＣコンバータをシステム内に組み込んで実負荷をかけた際に、潜在していた故障が顕在化し、システムダウンなどに至るおそれがある。
【０００８】
本発明は、上記に鑑み、電源供給装置に潜在的に存在する故障を顕在化して診断でき、故障を有する電源供給装置の電源供給システム内への組込みを防ぐことで、システムダウンなどのおそれを除いた電源供給システムを提供することを目的とする。
【課題を解決するための手段】
【０００９】
上記目的を達成するために、本発明は、少なくとも出力端子が並列接続又は切り離し可能な複数の電源供給装置と、該複数の電源供給装置の少なくとも一部が発生する電源を負荷に対して供給する電源ラインとを備える電源供給システムの健全性を診断する方法であって、
電源供給装置のうち少なくとも１台の被診断電源供給装置をオンとし、前記電源ラインから切り離した状態で前記被診断電源供給装置を単独に診断する第１の診断ステップと、
前記被診断電源供給装置から、前記負荷を模擬する模擬負荷に対して電源を供給した状態で、前記被診断電源供給装置を診断する第２の診断ステップと、を有することを特徴とする電源供給システムの診断方法を提供する。
【００１０】
また、本発明は、少なくとも出力端子が並列接続又は切り離し可能な複数の電源供給装置と、
前記電源供給装置の少なくとも一部が発生する電源を負荷に対して供給する電源ラインと、
前記電源供給装置の診断を行うコンピュータとを備え、
前記コンピュータが、
電源供給装置のうち少なくとも１台の被診断電源供給装置をオンとし、前記電源ラインから切り離した状態で前記被診断電源供給装置を単独に診断する第１の診断処理と、
前記被診断電源供給装置から、前記負荷を模擬する模擬負荷に対して電源を供給した状態で、前記被診断電源供給装置を診断する第２の診断処理と、を実行することを特徴とする電源供給システムを提供する。
【００１１】
更に、本発明は、少なくとも出力端子が並列接続又は切り離し可能な複数の電源供給装置と、該複数の電源供給装置の少なくとも一部が発生する電源を負荷に対して供給する電源ラインとを備える電源供給システムの健全性を診断するコンピュータのためのプログラムであって、
電源供給装置のうち少なくとも１台の被診断電源供給装置をオンとし、前記電源ラインから切り離した状態で前記被診断電源供給装置を単独に診断する第１の診断処理と、
前記被診断電源供給装置から、前記負荷を模擬する模擬負荷に対して電源を供給した状態で、前記被診断電源供給装置を診断する第２の診断処理と、を規定することを特徴とするプログラムを提供する。
【発明の効果】
【００１２】
本発明の電源供給システム、その診断方法、及び、プログラムでは、稼働中の電源供給装置の稼働に影響を与えることなく、且つ、模擬負荷に対して電源を供給した状態で被診断電源供給装置の診断を行う。このため、電源供給システムの運用に影響を及ぼすことなく、電源供給装置の潜在的な不良に関しても診断が可能となり、潜在的な電源供給装置の不良に起因する電源供給システムの故障の危険性を除くことが出来る。
【図面の簡単な説明】
【００１３】
【図１】本発明の電源供給装置の診断方法の基本構成を示すフローチャート。
【図２】本発明の一実施形態に係る電源供給システムを含むコンピュータシステムのブロック図。
【図３】図２の電源供給システムの診断プロセスを比較例の診断プロセスと共に示すフローチャート。
【発明を実施するための形態】
【００１４】
図１は、本発明の電源供給装置の診断方法の基本構成を示すフローチャートである。本診断方法は、少なくとも出力端子が並列接続又は切り離し可能な複数の電源供給装置と、該複数の電源供給装置の少なくとも一部が発生する電源を負荷に対して供給する電源ラインとを備える電源供給システムの診断方法である。診断では、新たに電源供給システムに組み込む少なくとも１台の電源供給装置、又は、電源供給システム内の複数の電源供給装置のうち少なくとも１台の電源供給装置を診断する。本診断方法は、処理がスタートすると（ステップＳ１）、まず、被診断電源供給装置を電源ラインから切り離した状態で、単独に被診断電源供給装置の診断を行う第１の診断ステップ（ステップＳ２）を実行する。次いで、被診断電源供給装置から、負荷を模擬する模擬負荷に対して電源を供給した状態で、被診断電源供給装置の診断を行う第２の診断ステップ（ステップＳ３）を実行し、双方の診断ステップが完了すると処理を終了する（ステップＳ４）。
【００１５】
第１の診断ステップＳ２では、被診断電源供給装置を、電源ラインから切り離した状態で、単独で健全性の診断を行う。第２の診断ステップＳ３では、電源供給システムの負荷を模擬する模擬負荷を負荷とし、被診断電源供給装置からこの模擬負荷に電源を供給し、その状態で健全性の診断を行う。このようにすることで、実負荷を構成するシステムの運用に影響を及ぼすことなく、実際の運転状態に近い状態で被診断電源供給装置の診断が可能となる。従って、より正確な診断が可能になり、被診断電源供給装置を電源供給システム内に導入した際の初期トラブルが防止できる。
【００１６】
図２は、本発明の一実施形態に係る電源供給装置の診断方法を適用する電源供給システムを、その負荷となるコンピュータシステムと共に示すブロック図である。コンピュータシステムは、ＣＰＵなどを搭載するボード等の運用コンポーネントＣ１、Ｃ２と、ＣＰＵなどを搭載するボード等で通常は運用せずに必要な場面で運用される予備コンポーネントＹ１とを含む。各運用コンポーネントＣ１、Ｃ２及び予備コンポーネントＹ１内には、電圧センサＤＤ１、ＤＤ２、ＤＤ３と、電流センサＡＰ１、ＡＰ２、ＡＰ３とが搭載される。
【００１７】
電源供給システムは、電源供給装置（電源コンバータ）Ｐ１、Ｐ２、Ｐ３と、各電源コンバータから出力されたＤＣ電源を運用電源ラインＬ１に出力するか否かを選択するスイッチＳＷ１、ＳＷ２、ＳＷ３と、常用（運用）電源ラインＬ１及び予備電源ラインＬ２とを含む。スイッチＣＳＷ１、ＣＳＷ２、ＣＳＷ３は、常用電源ラインＬ１及び予備電源ラインＬ２を経由した電源を各運用コンポーネントＣ１、Ｃ２に供給するか否かを選択する。スイッチＴＳＷ１は、電源コンバータから出力されたＤＣ電源を、予備電源ラインＬ２を経由してコンピュータシステムに供給する際に選択される。
【００１８】
スイッチＴＳＷ１は、電源コンバータＰ１、Ｐ２から出力されたＤＣ電源を、予備電源ラインＬ２を経由して供給するか否かを選択する。電源コンバータ制御部（ＰＳＯｎ／Ｏｆｆ制御部）Ａ１は、電源コンバータＰ１、Ｐ２、Ｐ３に電源を供給する図示しない各電源スイッチのＯＮ／ＯＦＦを制御する。システム制御部（ＳＹＳＴＥＭ供給Ｏｎ／Ｏｆｆ制御部）Ａ２は、電源コンバータＰ１、Ｐ２から出力されたＤＣ電源をコンポーネントに供給するか否かを選択するＯＮ／ＯＦＦ信号を生成する。コンポーネント制御部（コンポーネント供給Ｏｎ／Ｏｆｆ制御部）Ａ３は、運用電源ラインＬ１と予備電源ラインＬ２の何れをコンポーネントに供給するかを選択するライン選択信号を生成する。
【００１９】
負荷回路（模擬負荷装置）Ｔ１は、予備コンポーネントＹ１がない場合に、負荷をかけて電源コンバータＰ３を診断する際に使用する。電圧センサ／電流センサＤＤ４／ＡＰ４は、負荷回路Ｔ１の電圧／電流を測定する。制御装置（サービスプロセッサ）ＳＰ１は、上記電源供給システムを含むコンピュータシステムの全体の制御を実施する。各電源コンバータＰ１、Ｐ２、Ｐ３と、スイッチＳＷ１、ＳＷ２、ＳＷ３との間、及び、各電源コンバータＰ１、Ｐ２、Ｐ３と、スイッチＴＳＷ１との間には、電源の逆流を防止するダイオードＤ１〜Ｄ６が挿入されている。負荷回路Ｔ１は、例えば抵抗及びコンデンサなどの電流を消費する受動回路で構成する。
【００２０】
図３は、図２に示した電源供給システムの動作を示すフローチャートを、比較例の電源供給システムのフローチャートと比較して示している。以下、図２に示した電源供給システムの処理では、電源コンバータが冗長構成であり、外部マネージメントソフトや、保守員による操作などの指令を伝達する上位装置から、１台の電源コンバータの組み込みの指示があった際の処理を想定する。一部のステップの処理については、比較例のステップ及び上記実施形態におけるステップを並列的に説明する。
【００２１】
図２の３台の電源コンバータのうち、２台の電源が運用状態で稼働している際に処理がスタートしたとする（比較例Ｓ１１／実施形態Ｓ２１のステップ、以下、各ステップでは比較例及び実施形態の表示を省略する）このとき、各機器は以下の状態にある。
（１）電源供給装置（電源コンバータ）：Ｐ１がＯＮ、Ｐ２がＯＮ、Ｐ３がＯＦＦ
（２）電源コンバータから出力されたＤＣ電源をコンピュータシステムに供給するか否かを選択するスイッチ：ＳＷ１がＯＮ、ＳＷ２がＯＮ、ＳＷ３がＯＦＦ
（３）電源コンバータから出力されたＤＣ電源を予備電源ラインＬ２に供給する際に選択するスイッチ：ＴＳＷ１がＯＦＦ
（４）電源ライン：運用電源ラインＬ１が電源供給状態、予備電源ラインＬ２が待機状態
（５）各コンポーネントに電源を供給する際に選択するスイッチ：ＣＳＷ１が運用電源ラインを選択、ＣＳＷ２が運用電源ラインを選択、ＣＳＷ３がＯＦＦ
（６）各コンポーネントの運用状態：コンポーネントＣ１が運用／動作中、コンポーネントＣ２が運用／動作中、予備コンポーネントＹ１が待機／停止中
【００２２】
上記の状態で、上位装置から予備コンポーネントＹ１を組み込むように指示があったとする。或いは、上位装置から電源供給システムの診断を実施することを指示されたとする。サービスプロセッサＳＰ１は、現在使用している電源コンバータＰ１、Ｐ２で供給されている電力で、予備コンポーネントＹ１が動作可能か否かを判断する。
【００２３】
サービスプロセッサＳＰ１は、電源コンバータＰ１、Ｐ２から供給されている電力で、予備コンポーネントＹ１は動作不可能と判断すると、新たに電源コンバータＰ３の電源をＯＮする必要があると判断する（ステップＳ１２／Ｓ２２）。サービスプロセッサＳＰ１は、電源コンバータＰ３の電源をＯＮする必要があると判断すると、以下のステップに進む。まず、その電源コンバータＰ３の電源スイッチをＯＮにする（ステップＳ１３／Ｓ２３）。
【００２４】
ここまでの処理は、実施形態と比較例とは同じである。以下のステップでは、実施形態と比較例とが異なるので、まず比較例の処理を説明する。比較例では、まず電源コンバータＰ３の電源スイッチがＯＮとなる（ステップＳ１３）。次いで、電源コンバータＰ３内の診断を単独で実施する（ステップＳ１４）。診断の手法は、各電源コンバータの製造メーカにより内容は異なるが、例えば、内部ステータスの診断、電源コンバータによる電源供給状況の判定、及び、電力消費量の測定などを実施する。次いで、電源コンバータ内の診断結果を判定する（ステップＳ１５）。診断の結果、異常がなければ予備コンポーネントＹ１の電源システムへの組み込みを実行すると決定する（ステップＳ１６）。
【００２５】
ステップＳ１５では、電源コンバータ内の内部ステータス（ＳＴＡＴＵＳ）の診断、電源コンバータの電源供給状況の判定、電力消費量の測定から、正常／異常を判断しているため、実際に電源コンバータＰ３から電源が出力されているとは限らない。例えば、ステップＳ１５の電源コンバータＰ３の診断で不良が発見されれば、電源コンバータの予備コンポーネントＹ１のシステム内への組み込みを中止する（ステップＳ１７）。また、予備コンポーネントＹ１をシステム内に組み込んだ後に、実負荷がかかった状態で電源コンバータＰ３の潜在的な故障が顕在化することもある。比較例では、この際に、システムの運転に影響が出ることがある。
【００２６】
本実施形態では、第１の診断ステップ及び第２の診断ステップを実行することで、電源コンバータの運用後に顕在化する故障の発生を防止する。以下、本実施形態における処理を説明する。まず、被診断電源コンバータＰ３の電源スイッチをＯＮとし、電源コンバータ単独で診断を実施する（ステップＳ２３、Ｓ２４）。スイッチＣＳＷ３はＯＦＦとして、予備コンポーネントＹ１へは電源を供給しない。また、予備電源ラインＬ２にも電源は供給しない状態とする。電源コンバータ内の第１の診断ステップＳ２４は、比較例の診断ステップＳ１４と同様な診断である。第１の診断ステップは、電源コンバータ自身の機能により実施される。
【００２７】
第１の診断ステップが終了すると、第２の診断ステップが実行される（ステップＳ２５）。第２の診断ステップＳ２５は、各電源コンバータの製造メーカにより診断内容は異なるが、電源コンバータに実負荷をかけた状態で、内部ＳＴＡＴＵＳの診断、電源コンバータによる電源供給状況の判定、及び、電力消費量の測定などを実施する。この第２の診断ステップＳ２５では、予備電源ラインＬ２及び予備コンポーネントＹ１を使用する。
【００２８】
詳しくは、第２の診断ステップにおける電源コンバータの内部ＳＴＡＴＵＳの診断は、以下のように実施する。まず、予備コンポーネントＹ１に試験的なデータを与え、テスト用のプログラム又は通常時に使用するプログラムを使用して、予備コンポーネントを試験的に稼働させる。つまり、電源コンバータＰ３に負荷をかけ、予備コンポーネントＹ１内に搭載される電圧センサＤＤ３と、予備コンポーネントＹ１内に搭載される電流センサＡＰ３とから、負荷データを採取する。その負荷データから、実際に電源コンバータＰ３から予備コンポーネントＹ１に電源が供給され、正常に消費されているか否かを判定する。なお、もし、その時点で予備コンポーネントＹ１が存在しない場合には、負荷回路Ｔ１と、負荷回路Ｔ１の電圧／電流を測定する電圧センサ／電流センサＤＤ４／ＡＰ４とで、電力が正常に消費されているか否かを判定する。
【００２９】
予備コンポーネントＹ１を使用する第２の診断ステップについて、その診断結果の判定が行われる（ステップＳ２６）。診断の結果が正常であると、ステップＳ２７に移行して、電源コンバータＰ３を電源供給システム内に運用電源として組み込む。具体的には、電源コンバータＰ３の電源スイッチをＯＮ、スイッチＳＷ３をＯＮ、予備電源ラインＬ２を不使用とする。
【００３０】
次いで、予備コンポーネントＹ１を、コンピュータシステム内の運用コンポーネントとして組み込みを実施する（ステップＳ２８）。この目的で、予備コンポーネントＹ１の接続を、予備電源ラインＬ２から運用電源ラインＬ１に切り替える。詳しくは、スイッチＣＳＷ３をＯＮ、スイッチＴＳＷ１をＯＦＦとする。
【００３１】
ステップＳ２６で、電源コンバータが不良と判定されると、予備コンポーネントＹ１のシステム内の組み込みが中止される（ステップＳ２９）。
【００３２】
上記実施形態では、第１及び第２の診断ステップで正常と判定された電源コンバータを常用電源ラインＬ１に接続することで、潜在的な不良を有する危険性が小さな電源コンバータのみをシステムで運用できる。このため、潜在的な不良を有する電源コンバータを電源供給システム内に組み込むことで発生する不具合を防止し、コンピュータシステムにおけるシステムダウン等の危険が回避できる。
【００３３】
上記実施形態では、電源ラインが、運用中の常用電源ライン及び待機中の予備電源ラインを含む電源供給システムに本発明を適用し、模擬負荷を予備電源ラインに接続した状態で第２の診断を実施している。この構成により、待機中の予備電源ラインの有効利用が図られる。
【００３４】
また、上記実施形態では、電源供給システムの負荷となるコンピュータが、運転中の常用コンポーネント及び待機中の予備コンポーネントを含むシステムに本発明を適用している。この構成において、待機中の予備コンポーネントをＯＮとし予備電源ラインに接続して模擬負荷とすることで、電源コンバータに対して実際の負荷に近い負荷をかけることが出来る。特に、予備コンポーネントを、実際に使用されるプログラムで処理を行う状態で稼働させると、より実際の負荷に近づけることが出来る。
【００３５】
上記実施形態では、第２の診断ステップが、被診断電源供給装置から前記模擬負荷に供給される電流、電圧を計測するので、実際の負荷状態に近い状態で模擬負荷を運転して、電源コンバータの診断が可能となる。
【００３６】
電源供給システムでは、例えば省電力等を目的として、システム内に導入されておりながらも運用されていない電源コンバータが存在する場合がある。そのような場合には、その電源コンバータを周期的に診断することで、システムの運用に影響を与えることなく、常に電源負荷の増大に備えることが出来る。
【００３７】
以下、本発明の変形例の電源供給システムについて述べる。一般に、電源コンバータは、その電源スイッチのＯＮ／ＯＦＦを切り替えることで、潜在的な故障が顕在化することがある。上記実施形態の診断方法は、このような故障を顕在化するために、以下のように変形することが可能である。図２の電源構成で、２台の電源コンバータＰ１、Ｐ２が運用中であり、１台の電源コンバータＰ３が待機中であるとする。また、２台のコンポーネントＣ１、Ｃ２が運用中で、１台のコンポーネント（例えば、図示しないＣ３）が待機中であるとする。この状態で、待機中の電源コンバータＰ３について、第１の診断ステップ及び第２の診断ステップを実行した後に、電源コンバータＰ３の電源スイッチをＯＮとして、電源供給システム内に組み込む。
【００３８】
次いで、運用中の電源コンバータ（例えば、Ｐ１）を電源供給システムから切り離す。その後、切り離した電源コンバータＰ１について、第１の診断ステップ及び第２の診断ステップを実行する。診断の結果が正常であれば、その電源コンバータＰ１を再び電源供給システム内に組み込む。次いで、運用中のコンバータＰ２についても、同様にシステムから切り離し、第１の診断ステップ及び第２の診断ステップを実行する。診断の結果が正常であれば、再び電源供給システム内に組み込む。上記、診断を３台の電源コンバータＰ１、Ｐ２、Ｐ３について順次に、且つ、周期的又は間欠的に繰り返し行い、待機中の電源コンバータの正常を判定しておくことで、いつでも電源供給システム内に組み込むことを可能にする。
【００３９】
上記実施形態では、電源コンバータの電源スイッチを定期的又は間欠的にＯＮ／ＯＦＦすることで、電源コンバータの潜在的な故障が、より顕在化することが期待できる。このような診断手法を採用することで、電源供給システムの信頼性が更に向上する。
【００４０】
また、複数の電源コンバータの診断を、１台ずつ順次に且つ間欠的（定期的）に実施することで、複数の電源コンバータの全てがいつも稼働状態又は稼働できる状態にあり、システム運用の信頼性が更に向上する。
【００４１】
以上、本発明をその好適な実施形態に基づいて説明したが、本発明は、上記実施形態にのみ限定されるものではなく、上記実施形態の構成から種々の修正及び変更を施したものも、本発明の範囲に含まれる。
【産業上の利用可能性】
【００４２】
本発明は、ＳＥＲＶＥＲ／ＢＬＡＤＥなどの電子装置を含むコンピュータシステムのための電源供給システムに適用可能である。
【符号の説明】
【００４３】
Ｐ１〜Ｐ３：電源コンバータ（電源供給装置）
Ｃ１、Ｃ２：運用コンポーネント
Ｙ１：予備コンポーネント
Ａ１：ＰＳＯｎ／Ｏｆｆ制御部
Ａ２：システム供給Ｏｎ／Ｏｆｆ制御部
Ａ３：コンポーネント供給Ｏｎ／Ｏｆｆ制御部
ＳＰ１：サービスプロセッサ
ＳＷ１〜ＳＷ３、ＴＳＷ１、ＣＳＷ１〜ＣＳＷ３：スイッチ
ＤＤ１〜ＤＤ４：電圧センサ
ＡＰ１〜ＡＰ４：電流センサ
Ｄ１〜Ｄ６：ダイオード
Ｌ１：常用（運用）電源ライン
Ｌ２：予備電源ライン
Ｔ１：負荷回路（疑似負荷装置）
【図１】
2010187503.tif 000003
【図２】
2010187503.tif 000004
【図３】
2010187503.tif 000005